(57)【要約】【課題】部品点数を減少させて機構を軽量化および簡易化し、コストダウンおよび小型化を図ることのできる光ディスク装置を提供する。【解決手段】  本体１３内部に収容された光ディスク１２に記録されている情報を光学ヘッド部２０により読み取る際に、駆動ギヤ４１により第１および第２のトラバースギヤ４２Ａ、４２Ｂを回転させると、第２のトラバースギヤ４２Ｂと光学ヘッド部２０とを連結している連結アーム４３によって、光学ヘッド部２０を支持部材３０に沿って光ディスク１２の径方向に沿って移動させる。また、支持部材３０は、光学ヘッド部２０を移動させる第１のトラバースギヤ４２Ａ、第２のトラバースギヤ４２Ｂによって、光ディスク１２に対する再生位置および待機位置に回動する。このため、支持部材３０の回動および光学ヘッド部２０の移動を簡易な機構で行うことができ、移動機構を簡易化することができるとともに、部品点数を減少させて重量を軽減することができるので、コストダウンおよびコンパクト化を図ることができる。【選択図】  図１
2005322294.tif 000002
【特許請求の範囲】
【請求項１】
光ディスクを内部に収容可能な本体と、前記本体の内部において前記光ディスクの情報の再生または前記光ディスクへの情報の記録が可能な光学ヘッド部と、前記光学ヘッド部を支持するとともに前記光ディスクの径方向に沿って案内自在な支持部材と、前記支持部材に沿って前記光学ヘッド部を移動させる移動手段とを備えた光ディスク装置であって、
前記移動手段が、駆動ギヤに駆動されるトラバースギヤと、前記トラバースギヤと前記光学ヘッド部とを連結する連結アームとを有している光ディスク装置。
【請求項２】
前記支持部材の幅方向端縁部に接触して前記光ディスクの径方向に沿って滑動可能な滑動部材が前記光学ヘッド部に設けられた請求項１記載の光ディスク装置。
【請求項３】
前記支持部材の幅方向両側の端縁部にそれぞれ接触して前記支持部材を幅方向に挟持し、前記光ディスクの径方向に沿って滑動可能な滑動部材が前記光学ヘッド部に設けられた請求項１または請求項２記載の光ディスク装置。
【請求項４】
前記支持部材が帯板状であるとともに、前記滑動部材は前記支持部材の幅方向端縁部に接触して幅方向に挟持し、かつ、転動可能な３以上の転動ローラである請求項３記載の光ディスク装置。
【請求項５】
前記支持部材が前記トラバースギヤの回動に伴って端部を支点として前記光ディスクに対する記録再生位置および待機位置に回動可能であるとともに、前記支持部材が前記記録再生位置に回動したときに、前記移動手段が前記光学ヘッド部を記録再生開始位置に移動させる請求項１乃至請求項４のいずれかに記載の光ディスク装置。
【発明の詳細な説明】
【技術分野】
【０００１】
本発明は、光ディスクに記録されている情報の再生および光ディスクに対する情報の記録のうち少なくともいずれか一方を行う光ディスク装置に関するものである。
【背景技術】
【０００２】
従来の光ディスク装置が図９に示されている。
この光ディスク装置１００では、シャーシ１０１が設けられており、このシャーシ１０１にはスピンドルモータアセンブリ１０２が設けられている。スピンドルモータアセンブリ１０２のターンテーブル１０３には、光ディスク１０４を着脱可能に装着できるようになっており、ターンテープル１０３は、シャーシ１０１に取付けられているＤＣモータ１０５により回転されるようになっている。ＤＣモータ１０５の回転軸にウォーム１０６が取付けられており、このウォーム１０６にはウォームホイール１０７が噛み合っている。さらに、ウォームホイール１０７には、アイドラギヤ１０８が噛み合っている。
【０００３】
シャーシ１０１には、装着される光ディスク１０４の径方向に平行にＶ溝レール１０９および案内溝１１０が設けられており、Ｖ溝レール１０９および案内溝１１０に沿って光学ピックアップ１１１が往復移動自在に設けられている。また、シャーシ１０１の図９中下端縁部には、Ｖ溝レール１０９および案内溝１１０と平行にラック１１３が設けられており、アイドラギヤ１０８が噛み合っている。光学ピックアップ１１１には対物レンズ１１２が設けられている。この対物レンズ１１２は、図示省略のアクチュエータによって光ディスク１０４に接近離反方向、すなわちフォーカス方向に移動自在に設けられている。
【０００４】
従って、ターンテーブル１０３に装着されて回転している光ディスク１０４から情報を再生する際には、ＤＣモータ１０５がウォーム１０６、ウォームホイール１０７、アイドラギヤ１０８およびラック１１３を介して光学ピックアップ１１１を光ディスク１０４の径方向へ移動させ、光学ピックアップ１１１に設けられている対物レンズ１１２によって光ディスク１０４に記録されている情報を読み取る（例えば特許文献１参照）。
この他、光学ピップアップ１１１の移動機構としては、ボールネジおよびボールナットの組合せにより、光学ピックアップを光ディスクの径方向へ移動させる機構も広く用いられている。
【特許文献１】特開平７−３２０２７９号公報（図１）
【発明の開示】
【発明が解決しようとする課題】
【０００５】
しかしながら、前述したような従来の光ディスク装置においては、光ピックアップ１１１の移動機構に用いられる部品点数が多く複雑であるため、光ディスク装置の大型化およびコストアップを招くとともに、移動側である光ピックアップ１１１に取付けられる部品の増加により、光ピップアップ１１１側の重量が増加するため振動に弱くなり好ましくないという問題があった。
【０００６】
本発明は、従来の問題を解決するためになされたもので、部品点数を減少させて機構を軽量化および簡易化し、コストダウンおよび小型化を図ることのできる光ディスク装置を提供することを目的とする。
【課題を解決するための手段】
【０００７】
本発明の光ディスク装置は、光ディスクを内部に収容可能な本体と、前記本体の内部において前記光ディスクの情報の再生または前記光ディスクへの情報の記録が可能な光学ヘッド部と、前記光学ヘッド部を支持するとともに前記光ディスクの径方向に沿って案内自在な支持部材と、前記支持部材に沿って前記光学ヘッド部を移動させる移動手段とを備えた光ディスク装置であって、前記移動手段が、駆動ギヤに駆動されるトラバースギヤと、前記トラバースギヤと前記光学ヘッド部とを連結する連結アームとを有する構成を有している。
【０００８】
この構成により、本体内部に収容された光ディスクの情報の再生や光ディスクへの情報の記録を光学ヘッド部により行う際に、駆動ギヤによりトラバースギヤを回転させると、トラバースギヤと光学ヘッド部とを連結している連結アームによって、光学ヘッド部を支持部材に沿って光ディスクの径方向に沿って移動させる。このため、光学ヘッド部にギヤ等の移動手段を設ける必要がなく移動機構を簡易化することができるとともに、部品点数を減少させることができるので、コストダウンおよびコンパクト化を図ることができる。また、光学ヘッド部を軽量化することができるので、光学ヘッド部の位置決めを正確に行うことができる。
【０００９】
また、本発明にかかる光ディスク装置は、前記支持部材の幅方向端縁部に接触して前記光ディスクの径方向に沿って滑動可能な滑動部材が前記光学ヘッド部に設けられている構成を有している。
【００１０】
この構成により、光学ヘッド部は、光学ヘッド部に設けられている滑動部材により支持部材に沿って光ディスクの径方向へ滑動するので、別途案内部材を設ける必要がなく、部品点数の減少および重量の軽減化を図ることができる。
【００１１】
また、本発明にかかる光ディスク装置は、前記支持部材の幅方向両側の端縁部にそれぞれ接触して前記支持部材を幅方向に挟持し、前記光ディスクの径方向に沿って滑動可能な滑動部材が前記光学ヘッド部に設けられている構成を有している。
【００１２】
この構成により、光学ヘッド部は、光学ヘッド部に設けられている滑動部材により支持部材の両端縁部を挟持して光ディスクの径方向へ滑動するので、光学ヘッド部は支持部材に安定して支持されることになる。
【００１３】
また、本発明にかかる光ディスク装置は、前記支持部材が帯板状であるとともに、前記滑動部材は前記支持部材の幅方向端縁部に接触して幅方向に挟持し、かつ、転動可能な３以上の転動ローラである構成を有している。
【００１４】
この構成により、光学ヘッド部は３個以上の転動ローラによって帯板状の支持部材に移動自在に支持されるので、ガタつくことなく確実に移動することができる。また、例えば３個の転動ローラを、対向して２個、１個と配置することにより、光学ヘッド部は必ず支持部材に安定して支持されることになる。
【００１５】
さらに、本発明にかかる光ディスク装置は、前記支持部材が前記トラバースギヤの回動に伴って端部を支点として前記光ディスクに対する記録再生位置および待機位置に回動可能であるとともに、前記支持部材が前記記録再生位置に回動したときに、前記移動手段が前記光学ヘッド部を記録再生開始位置に移動させる構成を有している。
【００１６】
この構成により、支持部材は、光学ヘッド部を移動させるトラバースギヤによって、光ディスクに対する記録再生位置および待機位置に回動するので、簡易な機構で支持部材の回動を行うことができる。また、支持部材を、光ディスクと干渉しない待機位置に位置決めすることができるので、収容されている複数枚の光ディスクから選択して再生を行う多連装型の光ディスク装置に適する。さらに、支持部材を再生位置に回動させたときには光学ヘッド部は再生開始位置に位置決めされているので、迅速に再生を開始することができる。
【発明の効果】
【００１７】
本発明は、本体内部に収容された光ディスクの情報の再生や光ディスクへの情報の記録光学ヘッド部により行う際に、支持部材に沿って光学ヘッド部を移動させる移動手段として、駆動ギヤに駆動されるトラバースギヤと、このトラバースギヤと光学ヘッド部とを連結する連結アームとを設けたので、光学ヘッド部にギヤ等の移動手段を設ける必要がなく移動機構を簡易化することができるとともに、部品点数を減少させて重量を軽減することができるので、コストダウンおよびコンパクト化を図ることができるという効果を有する光ディスク装置を提供することができるものである。
【発明を実施するための最良の形態】
【００１８】
以下、本発明の実施形態の光ディスク装置について、図面を用いて説明する。
図１には、本発明の実施形態の光ディスク装置１０を内蔵するカーオーディオ装置１の全体斜視図が示されている。このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する制御部５が設けられている。
【００１９】
図２には、カーオーディオ装置１に内蔵されている本発明の実施形態である光ディスク装置１０の、図１中II−II位置における断面図が示されている。
図２に示すように、光ディスク装置１０は、情報が記録された光ディスク１２を内部に収容可能な本体１３と、本体１３の内部において光ディスク１２の情報を再生可能な光学ヘッド部２０と、この光学ヘッド部２０を支持するとともに光学ヘッド部２０を光ディスク１２の径方向に沿って案内自在な支持部材であるサスシャーシ３０と、このサスシャーシ３０に沿って光学ヘッド部２０を移動させる移動手段４０としての第１のトラバースギヤ４２Ａおよび第２のトラバースギヤ４２Ｂと、第２のトラバースギヤ４２Ｂと光学ヘッド部２０とを連結する連結アーム４３とを有している。
【００２０】
サスシャーシ３０は帯板状であり、一端部に設けられている回動支点３１を中心として回動自在に設けられており、少なくとも図２に示す待機位置から、図７および図８に示す再生位置まで回動可能となっている。サスシャーシ３０の他端部には光ディスク１２の中心を把持して図示省略の回転手段により回転するターンテーブル３２が設けられている。また、サスシャーシ３０の左右両端縁部には、長手方向に沿って左右のガイドレール３３Ｌ、３３Ｒが設けられており、光学ヘッド部２０を移動自在に支持している。なお、サスシャーシ３０の下面から下方に突出して丸棒状のロック軸３４が設けられているとともに、全体略Ｔ字状に切り欠かれたカム穴３５(図３参照)がサスシャーシ３０に設けられている。
【００２１】
光学ヘッド部２０では、上面中央部に光学ヘッド２１が上向きに設けられた全体略矩形状のピックアップ２２を有している。このピックアップ２２の下面にはサスシャーシ３０のガイドレール３３Ｌ、３３Ｒに接触して幅方向に挟持するとともに転動可能な３以上（ここでは例えば３個）の滑動部材としての転動ローラ２３が回転自在に設けられている。これにより、光学ヘッド部２０は、ガタつくことなく確実にガイドレール３３Ｌ、３３Ｒを挟んでサスシャーシ３０に沿って安定して往復移動可能となっている。
【００２２】
本体１３内部のフロア１３ａの上側には、フロア１３ａの下側に設けられている図示省略の駆動手段により回転駆動される駆動ギヤ４１が回転可能に設けられている。また、フロア１３ａの上側においては、回転支点４２ａを中心として、下側には第１のトラバースギヤ４２Ａが、この第１のトラバースギヤ４２Ａの上側には第２のトラバースギヤ４２Ｂがおのおの別個に回転自在に設けられている。第１のトラバースギヤ４２Ａおよび第２のトラバースギヤ４２Ｂは部分円弧状の円周部に歯４４ａ、４４ｂが形成されており(図３および図４参照)、おのおの別個に駆動ギヤ４１に噛合可能かつ離脱可能に設けられている。なお、少なくとも一方のトラバースギヤ４２Ａ、４２Ｂは必ず駆動ギヤ４１に噛合するようになっている。
【００２３】
駆動ギヤ４１にはタイミングレバー４６が設けられている。このタイミングレバー４６は、第１のトラバースギヤ４２Ａと第２のトラバースギヤ４２Ｂとの間で、一端が駆動ギヤ４１と共に回転自在に支持されており、駆動ギヤ４１の回転方向に一定の力で付勢されるようになっている。すなわち、駆動ギヤ４１が時針方向に回転するとタイミングレバー４６は時針方向に付勢され、駆動ギヤ４１が反時針方向に回転するとタイミングレバー４６は反時針方向に付勢されるようになっている。タイミングレバー４６の他端には軸４６ａが上下に突出して設けられており、この軸４６ａは、後述する第１のトラバースギヤ４２Ａおよび第２のトラバースギヤ４２Ｂの溝に沿って移動可能となっている。
【００２４】
図３には第１のトラバースギヤ４２Ａが示されている。なお、図３においては、第１のトラバースギヤ４２Ａの構成がわかりやすいように、サスシャーシ３０上を移動自在に設けられている光学ヘッド部２０および第１のトラバースギヤ４２Ｂの上方で回転中心４２ａに回転自在に設けられている第２のトラバースギヤ４２Ｂを取り除いた状態が示してある。
【００２５】
図３に示すように、第１のトラバースギヤ４２Ａには、回転中心４２ａを中心とした円弧状のカム溝４５が設けられており、駆動ギヤ４１から遠い側の端部には回転中心４２ａ側に切れ込んだ凹部４５ａが設けられている。カム溝４５には、タイミングレバー４６の先端に設けられている軸４６ａが移動自在に嵌入しており、凹部４５ａにも嵌入可能となっている。第１のトラバースギヤ４２Ａの回転中心４２ａの右側の端面には、サスシャーシ３０のロック軸３４をロック可能なロック凹部４８が設けられている。また、第１のトラバースギヤ４２Ａの上面には、第２のトラバースギヤ４２Ｂを貫通してサスシャーシ３０のカム穴３５に嵌入するカム軸４７が突出して設けられている。
【００２６】
図４には第２のトラバースギヤ４２Ｂが示されている。なお、図４においては、第２のトラバースギヤ４２Ｂの構成がわかりやすいように、サスシャーシ３０上を移動自在に設けられている光学ヘッド部２０と、第２のトラバースギヤ４４ａの下方に設けられている第１のトラバースギヤ４２Ａを取り除いた状態が示してある。
【００２７】
図４に示すように、第２のトラバースギヤ４２Ｂには、回転中心４２ａを中心とした円弧状の第１のカム溝４９と、第１のカム溝４９の内側に平行に第２のカム溝５１が設けられている。第１のカム溝４９の駆動ギヤ４１側の端部には、外側に拡幅した拡幅部４９ａが設けられており、拡幅部４９ａの端部にはタイミングレバー４６の軸４６ａが嵌入可能な係止凹部４９ｂが設けられている。また、図２に示すように、光学ヘッド部２０のピックアップ２２と第２のトラバースギヤ４２Ｂとの間を連結する連結アーム４３が設けられており、連結アーム４３の一端はピン４３ａによって第２のトラバースギヤ４２Ｂに回転自在に取り付けられており、他端はピン４３ｂによってピックアップ２２に回転自在に取り付けられている。
【００２８】
なお、前述したようにタイミングレバー４６は、第１のトラバースギヤ４２Ａと第２のトラバースギヤ４２Ｂとの間に設けられており、タイミングレバー４６の先端に設けられている軸４６は第１のカム溝４９を移動自在に嵌入している。また、連結アーム４３には切欠き４３ｃが設けられており、待機状態において、第２のトラバースギヤ４２Ｂの第１のカム溝４９を下側から上方へ貫通するタイミングレバー４６の軸４６ａと干渉しないようになっている。
【００２９】
次に、図２〜図８に基づいて、光ディスク装置１０におけるサスシャーシ３０の回動および光学ヘッド部２０の移動について説明する。
図２〜図４に示すように、サスシャーシ３０が待機位置にある待機状態では、第１のトラバースギヤ４２Ａおよび第２のトラバースギヤ４２Ｂは最も上側（反時針方向）に回転されており、タイミングレバー４６の軸４６ａは、第１のトラバースギヤ４２Ａのカム溝４５の下端および第２のトラバースギヤ４２Ｂの第１のカム溝４９の係止凹部４９ｂを係止して両トラバースギヤ４２Ａ、４２Ｂがそれ以上反時針方向へ回転しないようにしている。第１のトラバースギヤ４２Ａは駆動ギヤ４１の回転によって時針方向へ回転可能な状態にある。一方、第２のトラバースギヤ４２Ｂは駆動ギヤ４１から離脱しており、かつ、タイミングレバー４６の軸４６ａが第１のカム溝４９の係止凹部４９ｂを係止しているので、駆動ギヤ４１が回転しても、第２のトラバースギヤ４２Ｂは時針方向および反時針方向のいずれにも回転できない状態にある。
【００３０】
待機状態においては、図３に示すように、第１のトラバースギヤ４２Ａに設けられているカム軸４７は、第２のトラバースギヤ４２Ｂの第２のカム溝５１(図４参照)およびサスシャーシ３０のカム穴３５を貫通しており、カム穴３５の上側の辺に当接している。また、サスシャーシ３０のロック軸３４は、第１のトラバースギヤ４２Ａの外側面に当接しており(図２参照)、サスシャーシ３０が下方へ回転するのを阻止して待機位置に保持している。
なお、図２に示すように、光学ヘッド部２０は、第２のトラバースギヤ４２Ｂが最も反時針方向位置にあることから、サスシャーシ３０の回動支点３１側端部にある。
【００３１】
図５に示すように、駆動ギヤ４１を反時針方向に回転させて第１のトラバースギヤ４２Ａを時針方向へ回転させると、図３においてサスシャーシ３０のロック軸３４をロックしていた第１のトラバースギヤ４２Ａの外側面が離脱して、サスシャーシ３０の回動が可能になる。そして、第１のトラバースギヤ４２Ａに設けられているカム軸４７が、サスシャーシ３０のカム穴３５の側面を押し下げるので、サスシャーシ３０は回動支点３１を中心として反時針方向に回動を開始する。
【００３２】
また、駆動ギヤ４１の反時針方向への回転に伴い、タイミングレバー４６が反時針方向へ付勢されるので、軸４６ａが第２のトラバースギヤ４２Ｂの第１のカム溝４９の係止凹部４９ｂから脱する。これにより、第２のトラバースギヤ４２Ｂも時針方向に回転可能となるが、回転力が作用していないので、この位置に留まっている。従って、第２のトラバースギヤ４２Ｂはまだ回転を開始しないが、第２のトラバースギヤ４２Ｂと連結アーム４３によって連結されているピックアップ２２は、サスシャーシ３０の回動に伴ってターンテーブル３２側へ押されて移動する。
【００３３】
図６に示すように、第２のトラバースギヤ４２Ｂが回転しない状態で第１のトラバースギヤ４２Ａが時針方向へ回転し、第１のトラバースギヤ４２Ａのカム軸４７が第２のトラバースギヤ４２Ｂの第２のカム溝５１の端部に当接すると、第２のトラバースギヤ４２Ｂは第１のトラバースギヤ４２Ａの回転に伴って時針方向の回転を開始する。これにより、第２のトラバースギヤ４２Ｂの歯４４ｂが駆動ギヤ４１に噛合することとなるので、以後は駆動ギヤ４１の回転にしたがって回動することになる。
【００３４】
さらに駆動ギヤ４１が反時針方向へ回転して両トラバースギヤ４２Ａ、４２Ｂが時針方向へ回転すると、図７に示すように、カム軸４７に押されてサスシャーシ３０は再生位置に到達し、第１のトラバースギヤ４２Ａが時針方向に回転してサスシャーシ３０のロック軸３４がロック凹部４８に嵌合する。これにより、サスシャーシ３０は再生位置に固定されることになる。このとき、第２のトラバースギヤ４２Ｂが駆動ギヤ４１に噛合するとともに第１のトラバースギヤ４２Ａは駆動ギヤ４１から離脱し始める。そして、タイミングレバー４６は反時針方向に付勢されており、軸４６ａは第１のトラバースギヤ４２Ａのカム溝４５の先端に設けられている凹部４５ａに押込まれて係止されるので、以後第１のトラバースギヤ４２Ａは回転を停止する。
【００３５】
さらに駆動ギヤ４１を反時針方向へ回転させると、第２のトラバースギヤ４２Ｂのみが時針方向に回転して、連結アーム４３を介してピックアップ２２を押す。これにより、ピックアップ２２はサスシャーシ３０に沿ってターンテーブル３２側に移動し、図８に示すように、再生開始位置に達する。
再生を開始したら、駆動ギヤ４１を時針方向に回転させて第２のトラバースギヤ４２Ｂを反時針方向へ回転させることにより、ピックアップ２２を光ディスク１２の外周側へ移動させることができる。一方、駆動ギヤ４１を反時針方向に回転させて第２のトラバースギヤ４２Ｂを時針方向へ回転させることにより、ピックアップ２２を光ディスク１２の中心側へ移動させることができる。これにより、ピックアップ２２を所望の位置に往復移動させて、光学ヘッド２１により光ディスク１２の所定の位置の情報を読み込むことができる。
【００３６】
再生動作が完了したら、図７に示すように、駆動ギヤ４１を時針方向へ回転させて第２のトラバースギヤ４２Ｂのみを反時針方向へ回転させ、ピックアップ２２を光ディスク１２の外周部へ移動させる。この状態で駆動ギヤ４１をさらに時針方向へ回転させると、タイミングレバー４６が時針方向に付勢された状態で第２のトラバースギヤ４２Ｂが反時針方向に回転する。このため、タイミングレバー４６の軸４６ａが第１のカム溝４９の拡幅部４９ａに達するとタイミングレバー４６は若干時針方向へ回転するので、タイミングレバー４６の軸４６ａが第１のトラバースギヤ４２Ａのカム溝４５の凹部４５ａから押出される。これにより、第１のトラバースギヤ４２Ａは回転可能状態となる。
【００３７】
さらに駆動ギヤ４１を時針方向へ回転させると、第２のトラバースギヤ４２Ｂが反時針方向へ回転して第２のカム溝５１の端部が第１のトラバースギヤ４２Ａのカム軸４７に当接し(図７に示す状態)、カム軸４７を第２のトラバースギヤ４２Ｂと一体で移動させる。これにより、第１のトラバースギヤ４２Ａが反時針方向へ回転するので、サスシャーシ３０のロック軸３４が第１のトラバースギヤ４２Ａのロック凹部４８から脱して、サスシャーシ３０が回動可能状態となる。同時に、第１のトラバースギヤ４２Ａが反時針方向に回転して、歯４４ａが駆動ギヤ４１に噛合する。
【００３８】
さらに駆動ギヤ４１を時針方向へ回転させて、第１のトラバースギヤ４２Ａおよび第２のトラバースギヤ４２Ｂを反時針方向へ回転させると、図６および図５に示すように、カム軸４７がサスシャーシ３０のカム穴３５に当接してサスシャーシ３０を時針方向に回動させるとともに、ピックアップ２２を回動支点側へ移動させる。そして、さらに駆動ギヤ４１を時針方向へ回転させると、図２に示すように、待機位置に戻ることになる。
【００３９】
このような本発明の実施形態の光ディスク装置１０によれば、本体１３内部に収容された光ディスク１２に記録されている情報を光学ヘッド部２０により読み取る際に、サスシャーシ３０を再生位置に回動させるとともに再生位置のサスシャーシ３０に沿って光学ヘッド部２０を移動させる移動手段として、駆動ギヤ４１に駆動される第１のトラバースギヤ４２Ａおよび第２のトラバースギヤ４２Ｂと、第２のトラバースギヤ４２Ｂと光学ヘッド部２０とを連結する連結アーム４３とを設けた。このため、光学ヘッド部２０にギヤ等の移動手段を設ける必要がなく移動機構を簡易化することができるとともに、部品点数を減少させて重量を軽減することができるので、コストダウンおよびコンパクト化を図ることができる。
【００４０】
なお、本発明の光ディスク装置１０は、前述した実施形態に限定されるものでなく、適宜な変形，改良等が可能である。
例えば、前述した実施の形態においては、ピックアップ２２に、サスシャーシ３０のガイドレール３３Ｌ、３３Ｒに接触して幅方向に挟持するとともに転動可能な３以上（ここでは例えば３個）の滑動部材としての転動ローラ２３を回転自在に設けた場合について説明したが、このほか、転動しないがガイドレール３３Ｌ、３３Ｒに接触して滑動したり、ガイドレール３３Ｌ、３３Ｒに接触して幅方向に挟持して滑動するものを滑動部材として設けてもよい。
【産業上の利用可能性】
【００４１】
以上のように、本発明に係る光ディスク装置は、本体内部に収容された光ディスクに記録されている情報を光学ヘッド部により読み取る際に、支持部材に沿って光学ヘッド部を移動させる移動手段として、駆動ギヤに駆動されるトラバースギヤと、このトラバースギヤと光学ヘッド部とを連結する連結アームとを設けたので、光学ヘッド部にギヤ等の移動手段を設ける必要がなく移動機構を簡易化することができるとともに、部品点数を減少させて重量を軽減することができ、コストダウンおよびコンパクト化を図ることができるという効果を有し、光ディスクに記録されている情報の再生および光ディスクに対する情報の記録のうち少なくともいずれか一方を行う光ディスク装置として有用である。
【図面の簡単な説明】
【００４２】
【図１】本発明の実施形態における光ディスク装置を内蔵したカーオーディオ装置を示す全体斜視図
【図２】本発明の実施形態における光ディスク装置を示す平面図
【図３】待機位置での第１のトラバースギヤを示す平面図
【図４】待機位置での第２のトラバースギヤを示す平面図
【図５】待機位置から回動を開始する際または再生位置から待機位置に戻る際のトラバースギヤを示す平面図
【図６】待機位置から再生位置または再生位置から待機位置へ移動中の状態を示す平面図
【図７】再生位置に到着して固定された状態を示す平面図である。
【図８】再生位置に固定されたサスシャーシに沿って光学ヘッド部が移動する状態を示す平面図
【図９】従来の光ディスク装置を示す平面図
【符号の説明】
【００４３】
１０  光ディスク装置
１２  光ディスク
１３  本体
２０  光学ヘッド部
２３  転動ローラ（滑動部材）
３０  サスシャーシ（支持部材）
４１  駆動ギヤ
４２Ａ  第１のトラバースギヤ（移動手段）
４２Ｂ  第２のトラバースギヤ（移動手段）
４３  連結アーム（移動手段）
【図１】
2005322294.tif 000003
【図２】
2005322294.tif 000004
【図３】
2005322294.tif 000005
【図４】
2005322294.tif 000006
【図５】
2005322294.tif 000007
【図６】
2005322294.tif 000008
【図７】
2005322294.tif 000009
【図８】
2005322294.tif 000010
【図９】
2005322294.tif 000011